(57)【要約】【課題】室外機から複数の室内機への温水供給を１つの暖房経路と１箇所の接続部により行うことにより、設置工事の簡素化を図る。【解決手段】加熱手段を有する室外機と放熱手段を有する室内機とを温水パイプで結び、室外機より供給される温水を搬送して暖房経路を形成する温水暖房装置であって、前記温水パイプは室内外の境界部で着脱自在に接続可能な接続手段を有し、前記接続手段は室外機より供給される温水を複数の室内機に供給できる構成としてある。【選択図】図１
2005172367.tif 000002
【特許請求の範囲】
【請求項１】
加熱手段を有する室外機と放熱手段を有する室内機とを温水パイプで結び、室外機より供給される温水を搬送して暖房経路を形成する温水暖房装置であって、前記温水パイプは室内外の境界部で着脱自在に接続可能な接続手段を有し、前記接続手段は室外機より供給される温水を複数の室内機に供給できる構成とした温水暖房装置。
【請求項２】
接続手段は、室内機側の温水パイプの一端に温水プラグを設け、室外機側の温水パイプの一端に前記温水パイプより分岐して複数の温水コンセントを設け、前記温水プラグを温水コンセントに接続することで任意の暖房経路を形成するようにした請求項１記載の温水暖房装置。
【請求項３】
複数の温水コンセントにおいて、供給熱量に優先順位を設けて供給するようにした請求項１または２記載の温水暖房装置。
【請求項４】
複数の温水コンセントに接続する分岐路に抵抗体を配し、各温水コンセントより供給する温水の流量を制限するようにした請求項１〜３のいずれか１項記載の温水暖房装置。
【請求項５】
複数の温水コンセントを一体化して構成した請求項１〜４のいずれか１項記載の温水暖房装置。
【発明の詳細な説明】
【技術分野】
【０００１】
本発明は、温水暖房システムにおいて、１台の室外機から複数の室内機への温水供給を１箇所から行えるようにした温水暖房装置に関する。
【背景技術】
【０００２】
従来の温水暖房システムにおいては図５に示すように、室外に設置した熱源機２と室内に設置した放熱機３間を壁１を貫通して温水パイプ４ａ、４ｂ、電源線１２、信号線５を接続し、その接続形態として温水プラグと温水コンセントを用いたものがあった。そして、熱源機２への電源供給は前記電源線１２を介して供給し、放熱機３への電源供給は単独で壁１などに設けられた一般の電源コンセント６から供給するというものである（例えば、特許文献１参照）。
【０００３】
また、熱源機から複数の放熱機に温水供給を行う場合は、熱源機側に設けたヘッダーと呼ばれる分岐具により暖房経路自体を分けて各放熱機に温水を供給するという方法が一般的である（例えば、特許文献２参照）。
【０００４】
そして、上記熱源機より分岐した個別の暖房経路ごとに、室外に設置した熱源機と室内に設置した放熱機の接続用の温水コンセントを上記特許文献１に開示された構成で室内側の壁の適所に取り付け、放熱機との接続を行うというものであった。
【特許文献１】特開平０５−２８６８号公報
【特許文献２】特開平１１−２２９８５号公報
【発明の開示】
【発明が解決しようとする課題】
【０００５】
しかしながら、従来の温水暖房システムにおいては、１台の熱源機で複数の放熱機に温水を供給しようとする場合、特に、１部屋で複数台の放熱機を使用する場合であっても、熱源機より分岐した個別の暖房経路ごとに温水パイプを配管し、その個別に配管された温水パイプを壁貫通させて放熱機と接続する必要があるため、室内側には使用放熱機数に応じて壁を貫通させて温水コンセントを設置しなければならず、配管工事および温水コンセントの設置工事に手間がかかるという課題を有していた。
【０００６】
本発明は上記従来の課題を解決するもので、室外機から複数の室内機への温水供給を１つの暖房経路と１箇所の接続部により行い、設置工事の簡素化を図ることを目的とするものである。
【課題を解決するための手段】
【０００７】
上記従来の課題を解決するために、本発明の温水暖房装置は、加熱手段を有する室外機と放熱手段を有する室内機とを温水パイプで結び、室外機より供給される温水を搬送して暖房経路を形成する温水暖房装置であって、前記温水パイプは室内外の境界部で着脱自在に接続可能な接続手段を有し、前記接続手段は室外機より供給される温水を複数の室内機に供給できる構成としたものである。
【０００８】
これによって、熱源機から接続手段までは１つの温水経路で搬送し、接続手段近傍の温水経路から分岐して各室内機に対応した接続手段に温水を供給するようにしているため、熱源機からの配管工事が１経路だけでよく、かつ室内機との接続も１箇所に設けた接続手段から複数の室内機に対して対応することができ、設置工事の簡素化が図れるとともに、不使用時に室内機側の接続手段を取り外した後の収まりがよく、見栄え的にも好ましいものとなる。
【発明の効果】
【０００９】
本発明の温水暖房装置は、室外機から複数の室内機への温水供給を１つの暖房経路と１箇所の接続部により行うことができ、設置工事の簡素化を図ることができる。
【発明を実施するための最良の形態】
【００１０】
第１の発明は、加熱手段を有する室外機と放熱手段を有する室内機とを温水パイプで結び、室外機より供給される温水を搬送して暖房経路を形成する温水暖房装置であって、前記温水パイプは室内外の境界部で着脱自在に接続可能な接続手段を有し、前記接続手段は室外機より供給される温水を複数の室内機に供給できる構成としたことを特徴とするものであり、熱源機から接続手段までは１つの温水経路で搬送し、接続手段近傍の温水経路から分岐して各室内機に対応した接続手段に温水を供給するようにしているため、熱源機からの配管工事が１経路だけでよく、かつ室内機との接続も１箇所に設けた接続手段から複数の室内機に対して対応することができ、設置工事の簡素化が図れるとともに、不使用時に室内機側の接続手段を取り外した後の収まりがよく、見栄え的にも好ましいものとなる。
【００１１】
第２の発明は、接続手段として、室内機側の温水パイプの一端に温水プラグを設け、室外機側の温水パイプの一端に前記温水パイプより分岐して複数の温水コンセントを設け、前記温水プラグを温水コンセントに接続することで任意の暖房経路を形成するようにしたことを特徴とするものであり、接続手段をワンタッチで着脱可能な温水プラグと温水コンセントで構成し、かつ温水コンセントを複数個配設しているため、部屋の暖房負荷に応じて１部屋に１台から複数台の室内機を設置することが可能となり、利便性が飛躍的に向上するものである。
【００１２】
第３の発明は、複数の温水コンセントにおいて、供給熱量に優先順位を設けて供給するようにしたことを特徴とするものであり、供給熱量の大きい温水コンセントあるいは供給熱量の小さい温水コンセントというように、区別をして温水コンセントを配設してあるため、部屋内における室内機の使い勝手に応じて温水コンセントを選択することができ、利便性が向上するものである。
【００１３】
第４の発明は、複数の温水コンセントに接続する分岐路に抵抗体を配し、各温水コンセントより供給する温水の流量を制限するようにしたことを特徴とするものであり、温水コンセントに応じて供給熱量を変更することが容易に達成できるものである。
【００１４】
第５の発明は、複数の温水コンセントを一体化して構成したことを特徴とするものであり、第１の発明の効果をより明確にするものである。
【００１５】
以下、本発明の実施の形態について、図面を参照しながら説明する。なお、本実施の形態によって本発明が限定されるものではない。
【００１６】
（実施の形態１）
図１は、本発明の実施の形態１における温水暖房装置の全体構成図、図２は温水コンセントの斜視図、図３は温水プラグの斜視図である。
【００１７】
図において、温水コンセント８は熱源機２と温水パイプ５で接続され、温水プラグ５は温水ホース４で室内機３と接続されている。温水コンセント８に温水プラグ９を挿入することで温水暖房経路が形成される。
【００１８】
温水コンセント８には、温水経路を開閉する開閉弁１０と室内の電源コンセントと接続する電源用接続端子１１を有している。電源用接続端子１１には室外機２へ電源を供給するための室外電源線１２が接続されている。また、室外機２と室内機３の情報を伝達するための信号線６と信号用接続端子１４が内蔵されている。電源用接続端子１１と室外電源線１２は１セット、信号用接続端子１４と開閉弁１０は、複数セット有している。
【００１９】
温水プラグ９には、自在性のある温水ホース４と温水ホース４と一体になった室内機３と室外機２の情報の伝達をするための接続端子１７と信号線１５が接続されている。また温水経路を開閉する開閉弁１９も内蔵している。
【００２０】
熱源機２と温水コンセント８は、往き・戻り２本の銅パイプあるいは樹脂管等の温水パイプ５をつなぎ室外側の温水経路を形成する。温水コンセント８内の電源用接続端子１１に熱源機２の室外電源線１２を接続する。また、室内の電源コンセント７より温水コンセント８内の電源用接続端子１１に電源コード１６を接続し、室外機２へ電源を供給する。この室外電源線１２は温水パイプ５に沿わして配線し温水パイプ５のカバー内に収納する。信号線６も室外電源線１２の場合と同様に熱源機２の信号用接続端子１４に接続し、温水パイプ５のカバー内に収納する。温水コンセント８に温水プラグ９が挿入されていないときは、温水コンセント８内部の開閉弁１０が「閉」の状態となっている。
【００２１】
温水プラグ９は、室内機３とゴムホース等の自在性のある温水ホース４でつながっている。温水プラグ９の温水ホース４は、信号線１５と一体になっており温水プラグ９側は、温水プラグ９内の接続端子１１に接続している。反対側は、室内機３に接続するための接続端子を有し、室内機３の端子に接続される。温水コンセント８に挿入していないときは、温水プラグ内部の開閉弁１９が「閉」の状態になっている。
【００２２】
以上のように構成された温水暖房の接続装置について、以下その動作・作用を説明する。
【００２３】
温水暖房経路を形成し暖房を使用とするときは、温水プラグ９を温水コンセント８に挿入すると温水コンセント８と温水プラグ９の開閉弁１０、１９が「開」状態となる。また、信号線６、１５の接続も温水コンセント８の端子１４と温水プラグ９の端子１７が自動的に接続されて、室外機２と室内機３が情報の伝達が可能になる。
【００２４】
次に、室内の電源コンセント７と温水コンセント８の電源接続端子１１を接続し熱源機２に電源を供給する。また、室内機３も電源コンセント７に室内機３の電源プラグを接続する。
【００２５】
室内機３の運転スイッチを入れると、信号線６、１５を経由して運転開始の指示が室外機２に伝達され運転を開始する。室外機２のバーナと熱交換器で温水を作り、その温水を室外機２の循環ポンプで温水パイプ５を経由して室内機３へ送る。室内機３で温水が室内空気に熱交換され低温水になり室外機２へ戻される。戻された低温水は、室外機２で再度加熱され温水となり室内機３へと送られる。この動作の繰り返しが連続に行われ室内が暖房される。信号線６、１５は、室内機３の運転状態を室外機２に伝達し室外機３を効率的運転するための信号を常に送信している。また、室外機２の運転状態を室内機３に伝達し室内機３の運転を最適条件にするようにしている。
【００２６】
温水コンセント８の内部の温水経路は、室外の温水パイプ５の温水往き・戻りの接続口が１個づつ、温水プラグ９の接続口が複数個有している。温水プラグ側の複数回路中の１回路に流量調整弁１８を設けている。室内機３の能力及び暖房負荷に応じて接続回路を選定できるようにしている。
【００２７】
また、複数回路の分岐部に室内機３の能力に応じた流量が確保できるような抵抗体を内蔵した構成にしている。例えば、能力の大きい室内機を接続する回路は、小さい抵抗体、能力の小さいときは大きい抵抗体を持った回路に構成されており、室内機の能力により接続する回路が選択できるようになっている。
【００２８】
以上のように、本実施の形態で１箇所の温水コンセントで複数の温水プラグを介して室内機との接続が可能になり、暖房面積が大きい部屋を暖房する場合、室外機と温水コンセントの接続は１回路で室内機を複数台設置可能となるため、室外機との温水配管工事が簡単になり、見栄えもすっきりできる。
【００２９】
また、室内機の温風吹き出し方向が自由に選択でき、室内温度分布の均一化が図れ、快適暖房を提供することができる。
【００３０】
また、室外機の温水配管が１回路であるため、温水配管からの放熱ロスが低減でき、システム効率の向上も図れる。
【００３１】
さらに、温水コンセントに設けた抵抗体にあった室内機の選択ができるため、温水熱量の供給過多等のロスが低減できると共に、室内機の効率的な運転が可能となる。また、流量調節弁で外気温度の状況に応じて流量を調節することで、システム効率の向上と室外機の循環ポンプの高効率運転が可能となり、消費電力の低減にも効果を奏する。
【産業上の利用可能性】
【００３２】
本発明にかかる温水暖房装置は、熱源機から複数の放熱機への温水供給を１つの暖房経路と１箇所の接続部により行うことができるため、異なる暖房形態、例えば温風暖房と床暖房との組み合わせ等にも適用できる。
【図面の簡単な説明】
【００３３】
【図１】本発明の実施の形態１における温水暖房装置のシステムズを示す図
【図２】同温水暖房装置に用いる温水コンセントの斜視図
【図３】同温水暖房装置に用いる温水プラグの斜視図
【図４】同温水コンセントと温水プラグの接続形態を示す斜視図
【図５】同温水コンセントの内部構造を示す図
【図６】従来の温水暖房装置のシステム側面図
【図７】従来の温水暖房装置のシステム正面図
【符号の説明】
【００３４】
２  室外機
３  室内機
５  温水パイプ
８  温水コンセント
９  温水プラグ
【図１】
2005172367.tif 000003
【図２】
2005172367.tif 000004
【図３】
2005172367.tif 000005
【図４】
2005172367.tif 000006
【図５】
2005172367.tif 000007
【図６】
2005172367.tif 000008
【図７】
2005172367.tif 000009